(57)【要約】【課題】  熱源機側との接続で極性を無くし、如何なる接続形態の接続でも、確実にドレンを排水路に流し得るドレン排水装置を提供する。【解決手段】  第１接続部６１１を第１配管３５ａで、第２接続部６１２を第２配管３５ｂで、熱源機と接続する。第１・第２接続部６１１，６１２をそれぞれ逆止弁６２１，６３１を介して流入口６０１と連通させ、第３接続部６１３を介して浴槽連通口６０２を浴槽に連通させ、排水接続部６１５を介して排水口６０３を排水路Ｐｄと連通させる。第４接続部６１４を浴槽に接続するとともに、第１・第２接続部６１１，６１２に対しそれぞれ逆止弁６４１，６５１を介して連通させる。流路切換部６０を、流入口６０１と排水口６０３とが連通した排水状態と、流入口６０１と浴槽連通口６０２とが連通した非排水状態とに流路切換可能とする。【選択図】図４
2017096557.tif 000002
【特許請求の範囲】
【請求項１】
熱源機と浴槽との間で、前記熱源機から延びる追い焚き循環用の一対の配管と接続され、前記熱源機から前記一対の配管の一方に流されるドレンを、流路の切換により排水路側へ排水させるためのドレン排水装置において、
流入口、浴槽連通口及び排水口を有し前記流入口からの流路を切換えるための流路切換部と、熱源機側と連通接続される第１接続部及び第２接続部と、浴槽側と連通接続される第３接続部及び第４接続部と、前記排水口を前記排水路と連通接続させる排水接続部とを備え、
前記流路切換部は、前記流入口を前記浴槽連通口と連通させ、かつ、前記排水口の側を遮断した非排水状態と、前記流入口を前記排水口と連通させ、かつ、前記浴槽連通口の側を遮断した排水状態とに流路を切換可能に構成され、
前記第１接続部は、この第１接続部から前記流入口への一方向にのみ通水を許容する通水方向規制部を介して前記流入口と連通接続されるとともに、前記第２接続部は、この第２接続部から前記流入口への一方向にのみ通水を許容する通水方向規制部を介して前記流入口と連通接続され、
前記第３接続部は前記浴槽連通口と連通接続され、
前記第４接続部は、この第４接続部から前記第１接続部への一方向にのみ通水を許容する通水方向規制部を介して前記第１接続部と連通接続されるとともに、前記第４接続部から前記第２接続部への一方向にのみ通水を許容する通水方向規制部を介して前記第２接続部と連通接続されている、
ことを特徴とするドレン排水装置。
【請求項２】
請求項１に記載のドレン排水装置において、
前記各通水方向規制部は逆止弁により構成されている、ドレン排水装置。
【請求項３】
請求項１又は請求項２に記載のドレン排水装置において、
前記流路切換部は三方切換弁により構成されている、ドレン排水装置。
【発明の詳細な説明】
【技術分野】
【０００１】
本発明は、例えば燃焼排ガスの凝縮により生じるドレンを浴槽水の追い焚き配管を利用して排水するためのドレン排水装置に関し、ドレンの発生源である熱源機と、浴槽とを接続するための往き・戻り用の２本の配管の途中に介装され、その往き・戻り用の配管が熱源機側の往き用・戻り用の接続口のいずれに接続されたとしても、追い焚き循環又はドレン排水を確実に行い得るドレン排水装置に係る。
【背景技術】
【０００２】
従来、燃焼排ガスから潜熱を回収して高効率の熱回収を図るという潜熱回収型の熱源機が提供されている。かかる熱源機においては、潜熱回収の際に燃焼排ガスの凝縮に伴いドレンが発生するため、このドレンを如何に排水するかについて種々工夫が加えられてきた。特許文献１には、潜熱回収用の熱交換器で発生したドレンを、浴槽内の浴槽水を追い焚きするための追い焚き配管を利用して、浴槽が設置された浴室内の排水口に排水可能とすることが提案されている。このために、往き・戻り用の一対の追い焚き配管の内の一方の配管（往き配管）の途中位置（浴槽近傍位置）に、三方切換弁を内蔵したドレン排水装置を介装させ、三方切換弁を非排水状態と排水状態とに相互切換制御することにより、非排水状態では往き配管を浴槽側と連通可能とする一方、排水状態では浴槽側を遮断して浴室の排水口に連通可能としている。これにより、非排水状態では浴槽水を追い焚きし得る一方、排水状態では熱源機から往き配管に流されたドレンを浴室内の排水設備に排水し得るようになる。
【先行技術文献】
【特許文献】
【０００３】
【特許文献１】特開２０１４−４４０３３号公報
【発明の概要】
【発明が解決しようとする課題】
【０００４】
ところで、前記の熱源機では、追い焚き配管の往き配管の上流端及び戻り配管の下流端を熱源機側の接続口に対し正しく接続されていることが前提となり、万一、間違って逆に接続されてしまうと、熱源機からのドレンが浴槽内にそのまま流入してしまうおそれがある。図８に例示するように、戻り路３２ａの上流端接続口３２１に対し戻り配管３５ａの下流端３５１が接続され、又、往き路３２ｂの下流端接続口３２２に対し往き配管３５ｂの上流端３５２が接続され、というように、戻り配管３５ａの下流端及び往き配管３５ｂの上流端が熱源機１側の接続口３２１，３２２に対し正しく接続されている場合には、三方切換弁９００を排水状態に切換ることで、往き配管３５ｂからのドレン（一点鎖線の矢印参照）が浴室排水設備を通して下水に排水されるようになる。すなわち、三方切換弁９００を排水状態に切換ると、浴槽８側が遮断されて浴室排水設備側に連通することになるため、循環ポンプ３３の駆動により、ドレンタンク５３からのドレンが三方切換弁５６、戻り路３２ａ、熱交換器３４，３１、往き路３２ｂの順に流され、接続口３２２及び往き配管３５ｂを通して排水状態の三方切換弁９００に送られて、浴室排水設備に排水されることになる。
しかし、図８の戻り配管３５ａの下流端３５１が間違って往き路３２ｂの下流端接続口３２２に接続され、往き配管３５ｂの上流端３５２が間違って戻り路３２ａの上流端接続口３２１に接続され、というように誤接続状態に陥ってしまった場合には、前記の往き路３２ｂの下流端接続口３２２まで流されたドレンは、戻り配管３５ａに流入してしまう結果、この戻り配管３５ａを通して浴槽８までそのまま注入されてしまうことになる。
【０００５】
かかる誤接続状態は人為的な作業ミスに起因して発生してしまうおそれがあり、このような誤接続を使用開始前に検出するために、試運転時に誤接続か否かの自動判定を実行することで、誤接続状態を事前に検出して正しい接続に直すことも行われているが、試運転そのものが行われなかったり、試運転後に何らかの理由で付け替えられたりすると、かかる対策自体も無に帰すことになる他、対策を実行するにも手間を要することになる。
【０００６】
本発明は、このような事情に鑑みてなされたものであり、その目的とするところは、熱源機側との接続についての極性を無くすようにし、誤接続発生の有無に拘わらず、どのような接続形態で接続されたとしても、確実にドレンを排水側に流し得るようにしたドレン排水装置を提供することにある。
【課題を解決するための手段】
【０００７】
前記目的を達成するために、熱源機と浴槽との間で、前記熱源機から延びる追い焚き循環用の一対の配管と接続され、前記熱源機から前記一対の配管の一方に流されるドレンを、流路の切換により排水路側へ排水させるためのドレン排水装置を対象にして次の技術的手段を講じた。
【０００８】
すなわち、流入口、浴槽連通口及び排水口を有し前記流入口からの流路を切換えるための流路切換部と、熱源機側と連通接続される第１接続部及び第２接続部と、浴槽側と連通接続される第３接続部及び第４接続部と、前記排水口を前記排水路と連通接続させる排水接続部とを備えることとする。前記流路切換部として、前記流入口を前記浴槽連通口と連通させ、かつ、前記排水口の側を遮断した非排水状態と、前記流入口を前記排水口と連通させ、かつ、前記浴槽連通口の側を遮断した排水状態とに流路を切換可能な構成とする。又、前記第１接続部を、この第１接続部から前記流入口への一方向にのみ通水を許容する通水方向規制部を介して前記流入口と連通接続するとともに、前記第２接続部を、この第２接続部から前記流入口への一方向にのみ通水を許容する通水方向規制部を介して前記流入口と連通接続する。さらに、前記第３接続部を前記浴槽連通口と連通接続する。そして、前記第４接続部を、この第４接続部から前記第１接続部への一方向にのみ通水を許容する通水方向規制部を介して前記第１接続部と連通接続するとともに、前記第４接続部から前記第２接続部への一方向にのみ通水を許容する通水方向規制部を介して前記第２接続部と連通接続することとした（請求項１）。
【０００９】
この発明の場合、熱源機内の追い焚き循環用の戻り路又は往き路のいずれかからドレンが導出されたとき、流路切換部を排水状態に切換えることで、第１接続部が一対の配管の内のいずれか一方により熱源機内の追い焚き循環用の戻り路又は往き路の内のいずれと連通接続されていようとも、そして、第２接続部が前記一対の配管の残りの配管により前記戻り路又は往き路の残りと連通接続されていようとも、第１接続部又は第２接続部に供給されたドレンは通水方向規制部を通過して流入口に至ることになる。そして、流路切換部が排水状態に切換えされていれば、流入口と排水口とが連通するように流路が切換えされているため、ドレンは流入口から排水口に流れ、次いで排水接続口を介して排水路に排水されることになる。一方、流路切換部を非排水状態に切換えることで、流入口と浴槽連通口とが連通するように流路が切換えされているため、第１接続部又は第２接続部の一方に供給された後に通水方向規制部を通過して流入口に至った追い焚き後の浴槽水は、浴槽連通口から第３接続部を通して浴槽に供給され、逆に、浴槽から第４接続部を介して吸引された浴槽水は通水規制部を通過して第１接続部又は第２接続部の他方に戻され、その後、熱源機の戻り側に戻されることになる。
【００１０】
従って、ドレン排水装置と熱源機とを追い焚き循環用の一対の配管を用いていかなる接続形態で接続したとしても、安全・確実に追い焚き循環運転やドレン排水運転を行うことができるようになる。つまり、ドレン排水装置と熱源機との間の接続形態について無極性を実現させることができる。これにより、ドレン排水装置と熱源機との配管・接続作業において、特定の接続形態を強制もしくは義務付ける必要がなくなり、その配管・接続作業の大幅な容易化を図ることが可能となる。しかも、いかなる接続形態で接続されたとしても、特にドレン排水運転の際に、ドレンが浴槽内に流入してしまうことを確実に阻止しつつ、つまり浴槽を経由させることなく、ドレンを浴槽排水設備に対し直接的に流し込ませて安全に排水させることができるようになる。このため、従来、試運転時に誤接続状態が発生しているか否かについての判定・確認のための検出作業や、その検出のための処理プログラムの搭載を省略することが可能となる。
【００１１】
本発明のドレン排水装置における各通水方向規制部として逆止弁により構成することができる（請求項２）。このようにすることにより、通水方向を確実に一方向に規制することが可能となって、本発明の作用をより確実に得られることになる。
【００１２】
本発明のドレン排水装置における流路切換部として三方切換弁により構成することができる（請求項３）。このようにすることにより、発明をより明確化させることが可能となって、本発明の作用をより具体的に得られることになる。
【発明の効果】
【００１３】
以上、説明したように、本発明のドレン排水装置によれば、ドレン排水装置と熱源機とを追い焚き循環用の一対の配管を用いていかなる接続形態で接続したとしても、安全・確実に追い焚き循環運転やドレン排水運転を行うことができるようになる。つまり、ドレン排水装置と熱源機との間の接続形態について無極性を実現させることができる。これにより、ドレン排水装置と熱源機との配管・接続作業において、特定の接続形態を強制もしくは義務付ける必要がなくなり、その配管・接続作業の大幅な容易化を図ることができるようになる。しかも、いかなる接続形態で接続されたとしても、特にドレン排水運転の際に、ドレンが浴槽内に流入してしまうことを確実に阻止することができ、ドレンを浴槽排水設備に対し直接的に流し込ませて安全に排水させることができるようになる。このため、従来、試運転時に誤接続状態が発生しているか否かについての判定・確認のための検出作業や、その検出のための処理プログラムの搭載を省略することができるようになる。
【００１４】
請求項２のドレン排水装置によれば、各通水方向規制部として逆止弁により構成することにより、通水方向を確実に一方向に規制することができ、本発明の効果をより確実に得ることができるようになる。
【００１５】
又、請求項３のドレン排水装置によれば、流路切換部として三方切換弁により構成することにより、発明をより明確化させることができ、本発明の効果をより具体的に得ることができるようになる。
【図面の簡単な説明】
【００１６】
【図１】本発明の実施形態に係るドレン排水装置を適用した風呂装置の模式図である。
【図２】本実施形態のドレン排水装置を備えた風呂装置を住宅内に設置した例を示す断面説明図である。
【図３】図１の追い焚き循環路の戻り路の部分拡大図であり、図３（ａ）は流路をドレン排水状態に切換制御した状態を示し、図３（ｂ）は流路をドレン排水後の洗浄状態に切換制御した状態を示している。
【図４】図１のドレン排水装置の非排水状態における拡大説明図である。
【図５】図４のドレン排水装置を排水状態に切換制御した状態を示す部分説明図である。
【図６】第１配管の先端を図４とは逆に往き路の下流端接続口に接続し、第２配管の先端を図４とは逆に戻り路の上流端接続口に接続した例を示す部分拡大説明図である。
【図７】図６のドレン排水装置を排水状態に切換制御した状態を示す部分説明図である。
【図８】本発明の課題を説明するために、ドレン排水装置の例を備えた風呂装置の例を示す図１対応の説明図である。
【発明を実施するための形態】
【００１７】
以下、本発明の実施形態を図面に基づいて説明する。
【００１８】
図１は、本発明の実施形態に係るドレン排水装置６を適用した風呂装置を示す。この風呂装置は、熱源機１と、この熱源機１と浴槽８の循環アダプタ８１との間を追い焚き循環用に互いに接続する第１及び第２からなる一対の配管３５ａ，３５ｂとを備えたものである。そして、ドレン排水装置６は、浴槽８の近傍位置であって、前記の一対の追い焚き循環用配管３５ａ，３５ｂの途中位置に介装されている。熱源機１は、ドレン発生源であり、燃焼ガスの顕熱に加え燃焼排ガスから潜熱をも回収することにより高効率化を図る潜熱回収式に構成されている。又、図１の熱源機１は、浴槽８内の湯水（以下、「浴槽水」という）を追い焚きする追い焚き機能に加え、給湯機能及びふろ湯張り機能の各機能を併有して構成されたものを例示している。なお、本発明を実施する上では、風呂装置を構成する熱源機１が燃焼排ガスから潜熱を回収するための二次熱交換器（ドレン発生源）と、追い焚き循環路とを備えているものであれば適用することができる。従って、図例の如く２缶２水路に構成されたものではなくて、１缶２水路他に構成された熱源機であっても適用することができる。あるいは、図例の如く２つの二次熱交換器２４，３４を備えている場合に限らず、少なくとも１つの二次熱交換器を備えた熱源機であれば、本発明を適用することができる。
【００１９】
同図において、符号２は給湯機能を実現するための給湯回路、３は追い焚き機能を実現するための追い焚き循環回路、４はふろ湯張り機能を実現するための注湯回路、５は潜熱回収用の二次熱交換器２４，３４で発生するドレンを中和及び浄化の各処理を行うドレン処理回路、６はドレン排水のための流路切換を行うドレン排水装置、７はこれらの作動制御を行う制御手段としてのコントローラである。そして、図２に例示するように、住宅等の建物（例えば集合住宅）のパイプシャフト等のスペースに熱源機１を設置する一方、ドレン排水装置６を浴室Ｂｒ内の浴槽８近傍位置に設置する。そして、浴槽８のアダプタ８１と熱源機１とを、間にドレン排水装置６を介在した状態で追い焚き循環用の流路が形成されるように、互いに接続する。つまり、間にドレン排水装置６が介装された状態で、追い焚きのために、浴槽８内の浴槽水を熱源機１に戻すための戻り流路と、熱源機１で追い焚きした後の浴槽水を浴槽８に供給するための往き流路とが形成されている。このために、一対の配管３５ａ，３５ｂを用いてドレン排水装置６の熱源機側を熱源機１に接続し、ドレン排水装置６の浴槽側を一対の接続配管又は予め付設された一対の接続管部を用いて浴槽８の循環アダプタ８１に接続する。加えて、ドレン排水装置６の排水側を、排水延長管（排水路）又は予め付設されている排水管（排水路）Ｐｄを用いて浴室Ｂｒの浴室排水設備、例えばユニットバスの防水パンの排水受け口Ｄｈまで延ばして配設することで、前記の追い焚き循環用の流路の途中からドレンを排水し得るようにする。以上で現場での設置工事が完了する。なお、図２中の符号７０は浴室リモコンであり、この浴室リモコン７０はコントローラ７（図１参照）と双方向に通信可能に接続されている。
【００２０】
図１に戻り、給湯回路２は、燃焼バーナ２０と、この燃焼バーナ２０の燃焼ガスの顕熱（燃焼熱）により入水を熱交換加熱する給湯用の一次熱交換器２１と、一次熱交換器２１を通過した後の燃焼排ガスから潜熱を回収するための二次熱交換器２４とを備えている。入水路２２からの入水は、先に二次熱交換器２４に通され、二次熱交換器２４において燃焼排ガスからの潜熱回収により予熱された状態で一次熱交換器２１に入水されて主加熱される。そして、所定温度まで加熱されて出湯路２３に出湯された湯が、台所や浴室等の給湯栓２５や注湯回路４などの所定の給湯箇所に給湯される。前記の二次熱交換器２４や追い焚き循環回路３側の後述の二次熱交換器３４が潜熱回収用熱交換器を構成する。又、入水路２２には入水流量センサ２６や入水温度センサ２７等が介装され、出湯路２３には流量制御弁２８や給湯温度センサ２９が介装されている。
【００２１】
追い焚き循環回路３は、燃焼バーナ３０の燃焼ガスの顕熱により循環温水を熱交換加熱する追い焚き用の一次熱交換器３１と、浴槽８との間で浴槽水を循環させて追い焚きさせる追い焚き循環路３２と、循環ポンプ３３と、燃焼排ガスから潜熱を回収する追い焚き用の二次熱交換器３４とを備えている。追い焚き循環路３２は、戻り路３２ａと往き路３２ｂとを備えており、戻り路３２ａの上流端接続口３２１に対し第１配管３５ａの下流端が接続され、往き路３２ｂの下流端接続口３２２に対し第２配管３５ｂの上流端が接続されている。追い焚き循環路３２においては、循環ポンプ３３が作動されると、浴槽８からの浴槽水が第１配管３５ａ及び戻り路３２ａを通して先に二次熱交換器３４に供給され、この二次熱交換器３４にて燃焼排ガスからの潜熱回収により予熱された後に一次熱交換器３１に供給され、この一次熱交換器３１にて追い焚きのために主加熱され、追い焚き加熱後の浴槽水が往き路３２ｂ及び第２配管３５ｂを通して浴槽８に送られることになる。循環ポンプ３３の下流側の戻り路３２ａには水流スイッチ３６が介装される一方、その戻り路３２ａの上流端接続口３２１の下流側位置には二方弁である開閉弁３７が介装されている。なお、前記の燃焼バーナ２０，３０は元ガス弁，ガス比例弁や燃焼能力切替弁を介装した燃料供給系からの燃料ガスの供給を受けて燃焼作動するようになっている。
【００２２】
注湯回路４は、給湯回路２の出湯路２３から上流端が分岐して下流端が追い焚き循環路３２（例えば戻り路３２ａ）に合流された注湯路４１と、開閉切換により注湯の実行と遮断とを切換える注湯電磁弁や縁切り弁等がユニット化された注湯ユニット４２とを備えている。注湯回路４を用いた注湯運転の実行により出湯路２３の湯が注湯路４１，追い焚き循環路３２（配管３５ａ，３５ｂを含む）を経て浴槽８に注湯されて所定量の湯張りが行われるようになっている。
【００２３】
ドレン処理回路５は、二次熱交換器２４，３４において燃焼排ガスが潜熱回収のための熱交換により冷やされて凝縮することにより生じたドレンに対し、中和処理等の浄化のための改質処理を加えた上で排出するために設置された回路である。すなわち、ドレン処理回路５は、給湯用の二次熱交換器２４や追い焚き用の二次熱交換器３４からドレンを集水する集水パン５１と、集水されたドレンに対し中和処理を施す中和処理槽５２と、中和処理後のドレンを貯留するドレンタンク５３と、逆止弁５４を通してドレンタンク５３からドレンを追い焚き循環路３２（具体的には戻り路３２ａ）に導出させるドレン導出路５５とを備えている。ドレン導出路５５はその下流端が三方切換弁５６を介して追い焚き循環路３２に接続されている。三方切換弁５６は、常時は、ドレン導出路５５側が遮断され戻り路３２ａが連通状態とされている。そして、ドレン排水運転時には、図３（ａ）に示すように、三方切換弁５６をドレン導出路５５と戻り路３２ａの下流側（循環ポンプ３３の吸い込み側）とが連通する排水運転状態に切換制御し、かつ、開閉弁３７を閉切換制御して、ドレンをドレン導出路５５から戻り路３２ａの下流側に導出させ（図３（ａ）の一点鎖線の矢印参照）、以後、熱交換器３４，３１、往き路３２ｂ及び第２配管３５ｂを通してドレン排水装置６まで導出させ得るようになっている。なお、ドレン排水実行後は、注湯路４１から清浄な湯水を導入してドレンが流れた流路を洗浄するための洗浄運転を行うようになっている。この洗浄運転時には、図３（ｂ）に示すように、三方切換弁５６をドレン導出路５５を遮断して戻り路３２ａの上・下流側を連通させた通常運転状態に切換制御し、かつ、開閉弁３７を閉切換制御して、図３（ｂ）に実線の矢印で示すように注湯路４１から流入させた湯水を前記のドレンが流れた流路を通して流すようになっている。
【００２４】
ドレン排水装置６は、図４に示すように、流路切換部６０と、熱源機１の側（熱源機側）と連通接続される第１接続部６１１及び第２接続部６１２と、浴槽８の側（浴槽側）と連通接続される第３接続部６１３及び第４接続部６１４と、排水側と連通接続される排水接続部６１５とを備えている。第１接続部６１１には一対の配管３５ａ，３５ｂの内の一方（例えば第１配管３５ａ）が連結され、第２接続部６１２には残りの第２配管３５ｂが連結される。図例では第１配管３５ａの他端が熱源機１の戻り路３２ａの上流端接続口３２１に、第２配管３５ｂの他端が熱源機１の往き路３２ｂの下流端接続口３２２に連結され、これにより、第１接続部６１１は戻り路３２ａと連通接続され、第２接続部６１２は往き路３２ｂと連通接続されている。又、第３接続部６１３は、前述の接続配管又は接続管部により接続されて浴槽８の循環アダプタ８１の吐出部８１１側と連通され、第４接続部６１４は、同様の接続配管又は接続管部により接続されて循環アダプタ８１の吸引部８１２側と連通されている。そして、排水接続部６１５は後述の排水口６０３と連通され、これにより、排水口６０３と前述の排水路Ｐｄとが互いに連通されている。このようなドレン排水装置６としては、必要な構成要素をハウジング内に組み付けて予めユニット化することができる。
【００２５】
流路切換部６０は、流入口６０１と、浴槽連通口６０２と、排水口６０３とを備え、切換作動部６０４の変換作動により、流入口６０１を浴槽連通口６０２と連通させ、かつ、排水口６０３の側を遮断した非排水状態（図４，図６に示す状態）と、前記流入口６０１を排水口６０３と連通させ、かつ、浴槽連通口６０２の側を遮断した排水状態（図５，図７に示す状態）とに流路切換可能に構成されている。このような流路切換部６０としては、例えば三方切換弁を用いて、あるいは、複数の開閉弁の組み合わせを用いて構成することができる。流入口６０１には、第１接続部６１１から延びる流路部であって、途中位置に第１接続部６１１から流入口６０１への一方向にのみ通水を許容する通水方向規制部６２１が介装された第１流路部６２と、第２接続部６１２から延びる流路部であって、途中に第２接続部６１２から流入口６０１への一方向にのみ通水を許容する通水方向規制部６３１が介装された第２流路部６３とが連通接続されている。
【００２６】
又、浴槽連通口６０２は前記の第３接続部６１３と連通されており、これにより、浴槽連通口６０２は浴槽８の循環アダプタ８１の吐出部８１１と連通接続される。そして、循環アダプタ８１の吸引部８１２側と連通される第４接続部６１４には、第１接続部６１１に延びる流路部であって、途中位置に第４接続部６１４から第１接続部６１１への一方向にのみ通水を許容する通水方向規制部６４１が介装された第３流路部６４と、第２接続部６１２に延びる流路部であって、途中に第４接続部６１４から第２接続部６１２への一方向にのみ通水を許容する通水方向規制部６５１が介装された第４流路部６５とが連通接続されている。以上の通水方向規制部６２１，６３１，６４１，６５１としては、それぞれ一方向弁もしくは逆止弁により構成することができる。
【００２７】
そして、流路切換部６０は、図４に示すように、通常の追い焚き運転時には、非排水状態（図４に示す状態）に維持されて、流入口６０１が浴槽連通口６０２，第３接続部６１３及び循環アダプタ８１の吐出部８１１を通して浴槽８内と連通されることになる。一方、ドレン排水運転時には、流路切換部６０が排水状態（図５に示す状態）に流路切換制御されて、流入口６０１が排水口６０３，排水接続部６１５及び排水路Ｐｄを通して浴室排水設備と連通されることになる。このような流路切換部６０の切換作動部６０４は、ドレン排水運転の開始に伴いコントローラ７から排水側への切換指令を受けて非排水状態から排水状態に切換作動され、ドレン排水後の洗浄運転を含むドレン排水運転の終了に伴いコントローラ７から非排水側への切換指令を受けて排水状態から非排水状態に復帰するように切換作動される。なお、ドレン排水装置６に切換作動部６０４の切換作動のために内蔵コントローラを備えるようにし、コントローラ７からのドレン排水運転の実行指令又は切換指令を内蔵コントローラが受けて、切換作動部６０４を切換作動させるようにすることができる。
【００２８】
ドレン排水装置６を介装したことによる作用効果について、以下詳細に説明すると、流路切換部６０が非排水状態（図４に示す状態）に維持されている場合、開閉弁３７が開切換され循環ポンプ３３（図１参照）が作動されて追い焚き運転が開始されると、浴槽８内の浴槽水が循環アダプタ８１からドレン排水装置６及び第１配管３５ａを通して熱源機１の戻り路３２ａに流入し、次いで、二次熱交換器３４及び一次熱交換器３１を通過する間に燃焼バーナ３０で熱交換加熱されて所定温度まで追い焚きされ、追い焚き後の浴槽水が往き路３２ｂを通して第２配管３５ｂに流出され、ドレン排水装置６及び循環アダプタ８１を通して浴槽８内に供給される。この追い焚き循環が繰り返されて浴槽８内の全体が追い焚きされる。そして、循環ポンプ３３が停止されて追い焚き運転は終了する。
【００２９】
この追い焚き運転時に非排水状態に維持されているドレン排水装置６内の浴槽水の流れ（図４の破線の矢印参照）は次のようになる。すなわち、非排水状態では流入口６０１と浴槽連通口６０２とが互いに連通されているため、循環ポンプ３３の吐出圧により往き路３２ｂから第２配管３５ｂを通して第２接続部６１２に供給された浴槽水は、第２流路部６３の通水方向規制部６３１を通過して流入口６０１に至り、次いで、浴槽連通口６０２から第３接続部６１３を通して循環アダプタ８１の吐出部８１１に至り、浴槽８内に供給される。一方、浴槽８内の浴槽水は、循環ポンプ３３の吸引力により循環アダプタ８１の吸引部８１２から第４接続部６１４及び第３流路部６４の通水方向規制部６４１を通過して第１接続部６１１に至り、次いで、第１配管３５ａを通して熱源機１の戻り路３２ａに流入し、熱交換器３４，３１で追い焚き加熱された後に往き路３２ｂに出湯されて前記の通り循環することになる。
【００３０】
ここで、熱源機１の戻り路３２ａの上流端接続口３２１と、往き路３２ｂの下流端接続口３２２とに対し、前記の第１配管３５ａ及び第２配管３５ｂを、図６に示す如く、図４の接続形態の場合とは逆に接続してしまった場合でも、追い焚き運転を、前述の図４の場合と同様に、何ら支障を生じることなく行うことができるようになる。つまり、第１配管３５ａ及び第２配管３５ｂは、前記の上流端接続口３２１及び下流端接続口３２２のいずれか特定の対象に接続しなければならないのではなく、又、ドレン排水装置６に対しても同様に第１接続部６１１及び第２接続部６１２のいずれか特定の対象に接続しなければならないのでもなく、いずれに接続しても追い焚き運転を同様に実現し得ることになり、この点で、熱源機１との間におけるドレン排水装置６の接続形態において、無極性を具備させたものとすることができる。
【００３１】
すなわち、図６の場合では、循環ポンプ３３の吐出圧により往き路３２ｂから第１配管３５ａを通して第１接続部６１１に供給された浴槽水は、第１流路部６２の通水方向規制部６２１を通過して流入口６０１に至り、次いで、浴槽連通口６０２から第３接続部６１３を通して循環アダプタ８１の吐出部８１１に至り、浴槽８内に供給される。一方、浴槽８内の浴槽水は、循環ポンプ３３の吸引力により循環アダプタ８１の吸引部８１２から第４接続部６１４及び第４流路部６５の通水方向規制部６５１を通過して第２接続部６１２に至り、次いで、第２配管３５ｂを通して熱源機１の戻り路３２ａに流入し、熱交換器３４，３１で追い焚き加熱された後に往き路３２ｂに出湯されて前記の通り循環することになる。このような無極性の具備は、後述のドレン排水運転の確実性との関係で、より有用な作用効果をもたらすことになる。
【００３２】
一方、流路切換部６を排水状態に切換制御してドレン排水運転を行う場合には、次のようになる。例えば、図４に示す如く、第１配管３５ａの他端を戻り路３２ａの上流端接続口３２１に接続し、第２配管３５ｂの他端を往き路３２ｂの下流端接続口３２２に接続した場合、ドレン排水運転の開始に伴い、戻り路３２ａの三方切換弁５６を排水運転状態（図３（ａ）に示す状態）に切換制御し、併せて、ドレン排水装置６の流路切換部６０を排水状態に切換制御して循環ポンプ３３を作動させると、ドレンタンク５３内のドレンがドレン導出路５５から戻り路３２ａの下流側に導出され（図３（ａ）の一点鎖線の矢印参照）、以後、熱交換器３４，３１、往き路３２ｂ及び第２配管３５ｂを通してドレン排水装置６まで導出される。ドレン排水装置６では、図５に示すように、流入口６０１が排水口６０３と連通接続された排水状態に流路が切換えられているため、第２配管３５ｂから第２接続部６１２に導出されたドレンが第２流路部６３の通水方向規制部６３１を通して流入口６０１に至り、次いで、排水口６０３から排水接続部６１５及び排水路Ｐｄを通して浴室排水設備に排水されることになる。これにより、ドレンタンク５３から導出させたドレンを、浴槽８を通さずに浴室排水設備から下水に排水させることができる。
【００３３】
一方、前記の第１配管３５ａ及び第２配管３５ｂを、熱源機１の戻り路３２ａの上流端接続口３２１と、往き路３２ｂの下流端接続口３２２とに対し、図６に示す如く、図４の接続形態の場合とは逆に接続してしまった場合でも、ドレン排水運転を、前述の図４の場合と同様に、何ら支障を生じることなく行うことができるようになる。すなわち、戻り路３２ａの三方切換弁５６を排水運転状態（図３（ａ）に示す状態）に切換制御し、併せて、ドレン排水装置６の流路切換部６０を排水状態に切換制御して循環ポンプ３３を作動させることでドレン排水運転を開始させると、ドレンタンク５３内のドレンがドレン導出路５５から戻り路３２ａの下流側に導出され（図３（ａ）の一点鎖線の矢印参照）、以後、熱交換器３４，３１、往き路３２ｂを通して第１配管３５ａに流入し、第１配管３５ａを通してドレン排水装置６まで導出されることになる。ドレン排水装置６では、図７に示すように、流入口６０１が排水口６０３と連通接続された排水状態に流路が切換えられているため、第１配管３５ａから第１接続部６１１に導出されたドレンが第１流路部６２の通水方向規制部６２１を通して流入口６０１に至り、次いで、排水口６０３から排水接続部６１５及び排水路Ｐｄを通して浴室排水設備に排水されることになる。これにより、ドレンタンク５３から導出させたドレンを、図４の接続形態の場合と同様に、浴槽８を通さずに浴室排水設備から下水に排水させることができる。
【００３４】
以上の実施形態の場合、ドレン排水装置６と熱源機１との間に接続される追い焚き循環用の一対の配管３５ａ，３５ｂを、いかなる接続形態にしたとしても、安全・確実に追い焚き循環運転やドレン排水運転を行うことができるようになる。つまり、本実施形態のドレン排水装置６を用いれば、ドレン排水装置６と熱源機１との間の接続形態について無極性を具備するものにすることができる。これにより、ドレン排水装置６と熱源機１との配管・接続作業において、特定の接続形態を強制もしくは義務付ける必要がなくなり、その配管・接続作業の大幅な容易化を図ることができる。しかも、いかなる接続形態で接続されたとしても、特にドレン排水運転の際に、ドレンが浴槽８内に流入してしまうことを確実に阻止しつつ、つまり浴槽８を経由させることなく、ドレンを浴槽排水設備に対し直接的に流し込ませて安全に排水させることができるようになる。このため、従来、試運転時に誤接続状態が発生しているか否かについての判定・確認のための検出作業や、その検出のための処理プログラムの搭載を省略することが可能となる。かかる作用効果は、図例の如くドレンが往き路３２ｂの下流端（下流端接続口３２２）から熱源機１外に導出される場合のみならず、逆に、ドレンが戻り路３２ａの上流端（上流端接続口３２１）から熱源機１外に導出されるように構成されている場合であっても、前記実施形態と同様の作用効果を得ることができる。すなわち、ドレンが導出される戻り路３２ａの上流端に対し第１配管３５ａ又は第２配管３５ｂのいずれを接続したとしても、導出されたドレンを浴槽８を経由させることなく浴槽排水設備に対し直接的に流し込ませて安全に排水させることができる。
【００３５】
なお、ドレン排水装置６と循環アダプタ８１との接続形態において、図例の如く、吐出部８１１や吸引部８１２というように接続部位が機能別に区別されて有極性を有する循環アダプタ８１の場合には、ドレン排水装置６の第３接続部６１３を吐出部８１１に接続し、第４接続部６１４を吸引部８１２に接続するというように、接続対象が特定されることになる。しかしながら、ドレン排水装置６は浴槽８（又は循環アダプタ８１）の近傍位置に設置されるため、目の前で接続作業を行うことができ、特定の接続形態であってもその接続作業を容易に行うことができることになる。一方、吐出部８１１や吸引部８１２というように接続部位が機能別に区別されていない、いわゆる無極性を有する循環アダプタを用いる場合には、ドレン排水装置６と浴槽８との間の接続形態を不特定のものにすることができ、その接続作業の容易化を図ることができることになる。
【００３６】
なお、以上のドレン排水装置６は、予め熱源機１と組み合わせて新設することができる他、熱源機１のみで構成された既設置の追い焚き循環用の配管に対し後付けによって追加設置して組み合わせることもできる。この後付けの場合には、ドレン排水装置６の流路切換部６０の流路切換に係る制御部分もドレン排水装置６の後付けに併せて追加されることになる。
【符号の説明】
【００３７】
１      熱源機
６      ドレン排水装置
８      浴槽
３５ａ  第１配管（追い焚き循環用配管）
３５ｂ  第２配管（追い焚き循環用配管）
６０    流路切換部（三方切換弁）
６０１  流入口
６０２  浴槽連通口
６０３  排水口
６１１  第１接続部
６１２  第２接続部
６１３  第３接続部
６１４  第４接続部
６１５  排水接続部
６２１，６３１，６４１，６５１  通水方向規制部（逆止弁）
Ｐｄ    排水路
【図１】
2017096557.tif 000003
【図２】
2017096557.tif 000004
【図３】
2017096557.tif 000005
【図４】
2017096557.tif 000006
【図５】
2017096557.tif 000007
【図６】
2017096557.tif 000008
【図７】
2017096557.tif 000009
【図８】
2017096557.tif 000010